(57)【要約】  【課題】  熱分解しやすい殺虫剤や蒸気圧の低い水溶性殺虫剤であっても効率よく揮散させることができ、しかも液の安定性が高く、コストアップも抑制でき、臭気も軽減できる水溶性殺虫剤の蒸散方法、噴霧方法、超音波霧化装置、エアゾール噴霧装置および殺虫液若しくはその組成物を提供することである。  【解決手段】  水溶性殺虫剤を水に溶解させた殺虫液を超音波霧化装置またはエアゾール噴霧装置により蒸散または噴霧させる。蒸散または噴霧する殺虫液の中央粒子径は３〜８μｍに調節される。また、前記蒸散方法に使用するための超音波霧化装置は、殺虫液２を収容した容器１と、この容器２の上部開口から上部が突出し下部が容器１内の前記殺虫液２に浸漬された吸液芯３と、この吸液芯３の上端部に接触または直接接触することなく近接した超音波振動子５とを備える。【選択図】  図１
2004147643.tif 000002
【特許請求の範囲】
【請求項１】
水溶性殺虫剤を有効成分とする殺虫液を超音波霧化装置により蒸散させることを特徴とする水溶性殺虫剤の蒸散方法。
【請求項２】
蒸散される殺虫液の粒子径が３〜８μｍであることを特徴とする、超音波霧化装置による蒸散方法。
【請求項３】
殺虫剤の原体またはこれに添加物を添加した添加原体を超音波霧化装置により蒸散させることを特徴とする殺虫剤の蒸散方法。
【請求項４】
水溶性殺虫剤を有効成分とする殺虫液をエアゾール噴霧装置により噴霧することを特徴とする水溶性殺虫剤の噴霧方法。
【請求項５】
噴霧される殺虫液の粒子径が３〜８μｍであることを特徴とする、エアゾール噴霧装置による噴霧方法。
【請求項６】
請求項１または２記載の蒸散方法に使用するための装置であって、殺虫液を収容した容器と、この容器内の殺虫液を蒸散させるための超音波振動子とを備えたことを特徴とする超音波霧化装置。
【請求項７】
請求項３記載の蒸散方法に使用するための装置であって、殺虫剤の原体または添加原体を収容した容器と、この容器内の原体または添加原体を蒸散させるための超音波振動子とを備えたことを特徴とする超音波霧化装置。
【請求項８】
蒸散した殺虫剤成分を拡散させるためのファンを備えた請求項６または７記載の超音波霧化装置。
【請求項９】
前記容器と超音波振動子との間に振動伝達用の液体を介在させ、この液体を介して容器内の殺虫液に振動を与えて、殺虫液中の有効成分を蒸散させるようにした請求項６〜８のいずれかに記載の超音波霧化装置。
【請求項１０】
請求項１または２記載の蒸散方法に使用するための装置であって、殺虫液を収容した容器と、この容器の上部開口から上部が突出し下部が容器内の前記殺虫液に浸漬された吸液芯と、この吸液芯の上端部に接触または直接接触することなく近接した超音波振動子とを備えていることを特徴とする超音波霧化装置。
【請求項１１】
請求項４または５記載の噴霧方法に使用するための装置であって、殺虫液を収容したエアゾール容器と、このエアゾール容器の上部開口に取り付けられ、前記殺虫液を噴霧するための噴霧手段とを備えていることを特徴とするエアゾール噴霧装置。
【請求項１２】
水溶性殺虫剤を有効成分とし、該殺虫剤を水、有機溶剤またはこれらの混合液に溶解させたことを特徴とする、超音波蒸散用または噴霧用の殺虫液。
【請求項１３】
前記水溶性殺虫剤が１−メチル−２−ニトロ−３−（テトラヒドロ−３−フリルメチル）グアニジンである請求項１２記載の殺虫液。
【請求項１４】
効力増強剤として下記（1）〜（4）の成分のうち少なくとも一種を含有した請求項１２または１３記載の殺虫液。
（1）３‐（２‐クロロ−１，３‐チアゾール‐５‐イルメチル）‐５‐メチル‐１，３，５‐オキサジアジナン-4-ン
（2）（Ｅ）-Ｎ1-［（６‐クロロ−３−ピリジル）メチル］-Ｎ2-シアノ-Ｎ1-メチルアセトアミジン
（3）２-イソプロポキシフェニル−Ｎ−メチルカーバメート
（4） ｄ，ｄ‐Ｔ‐シフェノトリン
【請求項１５】
水溶性殺虫剤を有効成分とし、該殺虫剤を水、有機溶剤またはこれらの混合液に溶解させた殺虫液と、噴射剤とを含有することを特徴とする、噴霧用の殺虫液組成物。
【請求項１６】
フラニル系水溶性殺虫剤と溶剤とを含み、溶剤が水、下記一般式（1）で示される化合物および低級アルコールから選ばれる少なくとも１種であることを特徴とする殺虫液組成物。
【化１】
2004147643.tif 000013
（式中、Ｒは炭素数１〜６のアルキル基、ｍおよびｎは同一または異なる０〜６の整数である。ただし、ｍおよびｎは同時に０ではない。）
【請求項１７】
フラニル系水溶性殺虫剤と溶剤とを含み、溶剤が水とジエチレングリコールモノブチルエーテルとを含み、溶剤中のジエチレングリコールモノブチルエーテルの配合割合が４０〜２０重量％である請求項１６記載の殺虫液組成物。
【請求項１８】
効力増強剤として請求項１４記載の成分（1）〜（4）のうち少なくとも一種を含有した請求項１６または１７記載の殺虫液組成物。
【請求項１９】
請求項１６〜１８のいずれかに記載の殺虫液組成物を超音波霧化装置またはエアゾ−ルを用いて蒸散または噴霧することを特徴とする害虫駆除方法。
【請求項２０】
１−メチル−２−ニトロ−３−（テトラヒドロ−３−フリルメチル）グアニジン）を有効成分として含有する抵抗性ゴキブリ防除組成物。
【請求項２１】
効力増強剤として請求項１４記載の成分（1）〜（4）のうち少なくとも一種を含有した請求項２０記載の抵抗性ゴキブリ防除組成物。
【発明の詳細な説明】
【技術分野】
【０００１】
本発明は、殺虫液を効率よく蒸散または噴霧させる方法、超音波霧化装置、エアゾール噴霧装置および殺虫液若しくはその組成物、害虫駆除方法、さらに抵抗性ゴキブリ防除組成物に関する。
【背景技術】
【０００２】
従来、害虫駆除用の殺虫液を蒸散させる方法としては、吸液芯を用いて殺虫液を吸い上げ加熱蒸散させる方法、繊維板などの多孔質基材（固形マット）に吸着させた殺虫剤を加熱して揮散させる方法、ファンの回転による風力で殺虫剤を揮散させる方法などが知られている。しかしながら、加熱蒸散方法では加熱温度が高温であるため熱分解しやすい殺虫剤は使用できないという問題がある。また、風力による揮散方法では、蒸気圧の低い殺虫剤は揮散しにくいという問題がある。
【０００３】
一方、油溶性の殺虫剤を含有した殺虫液を超音波発振機により蒸散させる方法が提案されている（特許文献１および特許文献２参照）。上記殺虫液は油溶性の殺虫剤を灯油などの有機溶剤に溶解または分散させるか、あるいは水を溶剤とし、これに殺虫剤を乳化させた乳化液の形態で使用される。しかしながら、殺虫剤の乳化液は安定性に劣り、界面活性剤を使用するためコストアップになり、しかも独特の臭気を有する。
【０００４】
また、上記と同様に、超音波を利用して殺虫剤や芳香剤を蒸発させる超音波式の液体蒸発装置も提案されている（特許文献３参照）。しかしながら、この文献には殺虫剤や芳香剤についての具体的な記載はない。
【０００５】
【特許文献１】特公昭５７−６１３８８号公報
【特許文献２】特開昭５２−６６０号公報
【特許文献３】特開平８−２１５３０８号公報
【発明の開示】
【発明が解決しようとする課題】
【０００６】
したがって、本発明は、熱分解しやすい殺虫剤や蒸気圧の低い水溶性殺虫剤であっても効率よく揮散させることができ、しかも液の安定性が高く、コストアップも抑制でき、臭気も軽減できる殺虫液の蒸散方法、噴霧方法、超音波霧化装置、エアゾール噴霧装置および殺虫液若しくはその組成物、さらに抵抗性ゴキブリ防除組成物を提供することを課題とする。
【課題を解決するための手段】
【０００７】
本発明にかかる水溶性殺虫剤の蒸散方法は、水溶性殺虫剤を有効成分とする殺虫液を超音波霧化装置により蒸散させることを特徴とする。このように本発明では、殺虫液に超音波振動を与えることによって殺虫液を霧化して蒸散させるので、熱分解しやすい殺虫剤や蒸気圧の低い殺虫液であっても効率よく揮散させることができ、しかも拡散性にも優れるので、優れた殺虫効果を得ることができる。また、殺虫液は水溶性殺虫剤を有効成分とする溶液形態であるので、乳化液に比べて安定であり、界面活性剤を必要としない上、例えば溶剤の一部または全部に水を使用すれば、臭気もほとんどなく、火気に対する安全性も高くなる。
【０００８】
本発明にかかる超音波霧化装置による他の蒸散方法は、蒸散される殺虫液の粒子径が３〜８μｍであることを特徴とする。本発明のさらに他の殺虫剤蒸散方法は、殺虫剤の原体またはこれに添加物を添加した添加原体を超音波霧化装置により蒸散させることを特徴とする。これらの他の蒸散方法で使用される殺虫剤、原体または添加原体は水溶性に限定されるものではなく、油溶性であっても使用可能である。
【０００９】
本発明にかかる殺虫液の噴霧方法は、水溶性殺虫剤を有効成分とする殺虫液をエアゾール噴霧装置により噴霧させることを特徴とする。この噴霧方法においても、上記と同様に、熱分解しやすい殺虫剤や蒸気圧の低い水溶性殺虫剤であっても効率よく揮散させることができる。また、殺虫液は水溶性殺虫剤を有効成分とする溶液形態であるので、乳化液に比べて安定であり、界面活性剤を必要としない上、例えば溶剤の一部または全部に水を使用すれば、臭気もほとんどなく、火気に対する安全性も高くなる。
【００１０】
本発明にかかるエアゾール噴霧装置による他の噴霧方法は、噴霧される殺虫液の粒子径が３〜８μｍであることを特徴とする。ここで、使用される殺虫剤は水溶性に限定されるものではなく、油溶性であっても使用可能である。
【００１１】
本発明の超音波霧化装置は、上記蒸散方法に使用するための装置であって、殺虫液または殺虫剤の原体もしくは添加原体を収容した容器と、この容器内の殺虫液または殺虫剤の原体もしくは添加原体を蒸散（揮散）させるための超音波振動子とを備えることを特徴とする。かかる本発明の超音波霧化装置では、蒸散した殺虫剤成分を拡散させるためのファンを備えているのがよい。さらに、前記容器と超音波振動子との間には、振動伝達用の液体を介在させ、この液体を介して容器内の殺虫液に振動を与えて、殺虫液中の有効成分を蒸散（揮散）させるようにするのがよい。
【００１２】
本発明の他の超音波霧化装置は、上記蒸散方法に使用するための装置であって、殺虫液を収容した容器と、この容器の上部開口から上部が突出し下部が容器内の前記殺虫液に浸漬された吸液芯と、この吸液芯の上端部に接触または直接接触することなく近接した超音波振動子とを備えていることを特徴とする。
【００１３】
また、本発明にかかるエアゾール噴霧装置は、上記噴霧方法に使用するための装置であって、殺虫液を収容したエアゾール容器と、このエアゾール容器の上部開口に取り付けられ、前記殺虫液を噴霧するための噴霧手段とを備えていることを特徴とする。
【００１４】
本発明にかかる超音波蒸散用または噴霧用の殺虫液は、水溶性殺虫剤を有効成分とし、該殺虫剤を水、有機溶剤またはこれらの混合液に溶解させたものである。水溶性殺虫剤としては、例えば１−メチル−２−ニトロ−３−（テトラヒドロ−３−フリルメチル）グアニジン（一般名：ジノテフラン）が挙げられる。
また、本発明にかかる噴霧用の殺虫液組成物は、水溶性殺虫剤を有効成分とし、該殺虫剤を水、有機溶剤またはこれらの混合液に溶解させた殺虫液と、噴射剤とを含有することを特徴とする。
【００１５】
また、本発明では、水溶性殺虫剤と共に、効力増強剤として下記（1）〜（4）の成分のうち少なくとも一種を含有させると、より一層高い殺虫効力が得られる。
（1）３‐（２‐クロロ−１，３‐チアゾール‐５‐イルメチル）‐５‐メチル‐１，３，５‐オキサジアジナン-4-ン（一般名：チアメトキサム）
（2）（Ｅ）-Ｎ1-［（６‐クロロ−３−ピリジル）メチル］-Ｎ2-シアノ-Ｎ1-メチルアセトアミジン（一般名：アセタミプリド）
（3）２-イソプロポキシフェニル−Ｎ−メチルカーバメート（一般名：プロポクスル）
（4） ｄ，ｄ‐Ｔ‐シフェノトリン
さらに、本発明の殺虫液組成物は、フラニル系水溶性殺虫剤と溶剤とを含み、溶剤が水、下記一般式（1）で示される化合物および低級アルコールから選ばれる少なくとも１種であることを特徴とする。
【化２】
2004147643.tif 000003
（式中、Ｒは炭素数１〜６のアルキル基、ｍおよびｎは同一または異なる０〜６の整数である。ただし、ｍおよびｎは同時に０ではない。）
【００１６】
とりわけ、本発明の殺虫液組成物は、フラニル系水溶性殺虫剤と溶剤とを含み、溶剤が水とジエチレングリコールモノブチルエーテル（以下、ＢＤＧという）とを含み、溶剤中のＢＤＧの配合割合が４０〜２０重量％であるのが好ましい。
【００１７】
当該殺虫液組成物は、超音波霧化装置またはエアゾ−ルを用いて蒸散または噴霧されることにより高い害虫駆除効果が得られる。特にゴキブリの駆除効果に優れる。エアゾ−ルを用いて上記殺虫液組成物を噴霧する場合、噴霧剤としては、例えばジメチルエーテル（ＤＭＥ）若しくはこれと液化石油ガス（ＬＰＧ）とを使用するのが好ましい。
本発明の抵抗性ゴキブリ防除組成物は、１−メチル−２−ニトロ−３−（テトラヒドロ−３−フリルメチル）グアニジン）を有効成分として含有する。この有効成分に対して、効力増強剤として上記成分（1）〜（4）のうち少なくとも一種を含有させるのが好ましい。
【発明の効果】
【００１８】
本発明によれば、熱分解しやすい殺虫剤や蒸気圧の低い殺虫剤であっても効率よく揮散させることができ、しかも拡散性にも優れるので、優れた殺虫効果を得ることができるという効果がある。
【発明を実施するための最良の形態】
【００１９】
以下、本発明について詳細に説明する。
＜超音波蒸散方法＞
本発明にかかる蒸散方法は、殺虫液（例えば水溶性殺虫剤を、水、有機溶剤またはこれらの混合液からなる溶剤に溶解させた殺虫剤溶液）を超音波霧化装置により蒸散させるものである。
【００２０】
前記殺虫剤としては、害虫に対して殺虫作用があれば特に限定されず、好ましくは蒸気圧が１×１０-3〜１×１０-9ｍｍＨｇ、より好ましくは１×１０-5〜１×１０-8ｍｍＨｇであるのがよい。このような殺虫剤を一般名で例示すると、フラニル系の殺虫剤であるジノテフラン（化学名：（ＲＳ）−１−メチル−２−ニトロ−３−（テトラヒドロ−３−フリルメチル）グアニジン）、ｄ，ｄ−Ｔ−シフェノトリン（化学名：α−シアノ−３−フェノキシベンジル（＋）シス／トランス−２，２−ジメチル−３−（２−メチル−１−プロペニル）シクロプロパンカルボキシラート）、トリクロルホン、カルタップ、アセタミプリド、ニテンピラム、イミダクロプリド(Imidacloprid、日本バイエルアグロケム社製)、ニテンピラム  (Nitenpyram、住化武田農薬社製)、チアクロプリド (Thiacloprid、日本バイエルアグロケム社製)、クロチアニジン (Clotianidin、住化武田農薬社製)、チアメトキサム (Thiamethoxam、シンジェンタ社製)、プロポクスル (Propoxur、バイエル薬品社製)、ピメトロジン (Pymetrozine、シンジェンタ社製)、フェニトロチオン（住友化学社製）、フェンチオン（バイエル社製）、メトフルトリン（住友化学社製）、アミドフルメト（住友化学社製）などが挙げられ、これらの１種または２種以上を組み合わせて用いることができる。
【００２１】
上記の１種または２種以上の殺虫剤を水、有機溶剤またはこれらの混合液、好ましくは水または水を含む溶剤に溶解させ、得られた殺虫液に超音波霧化装置で振動を与えることにより殺虫液を霧化して大気中へ蒸散させる。この殺虫液中の殺虫剤濃度は０．３〜３０重量％、好ましくは０．５〜１０重量％であるのがよい。
【００２２】
特に上記ジノテフランは、水、前記一般式（1）で示される化合物および低級アルコールの少なくとも１種からなる溶剤に溶解させて使用することにより、浸透性が向上し、高い殺虫効果が得られる。前記一般式（1）で示される化合物としては、例えばエチレングリコールモノエチルエーテル、ジエチレングリコールモノブチルエーテル（ＢＤＧ）、ジエチレングリコールモノエチルエーテル、プロピレングリコールモノメチルエーテルなどが挙げられる。また、低級アルコールとしては、例えばメタノール、エタノール、１−プロパノール、２−プロパノール、ｎ―ブタノール、ｎ―ヘキサノール、ｎ―オクタノール、シクロヘキサノールなどの炭素数１〜６の低級モノアルコール、好ましくはエタノール、１−プロパノールまたは２−プロパノールが挙げられる。
【００２３】
さらに他の溶剤を使用してもよく、例えばベンジルアルコールなどのアルコール類；トルエン、ヘキサン、ベンゼン、キシレン、流動パラフィンなどの炭化水素類；ジエチルエーテルなどのエーテル類；アセトン、ジアセトンアルコールなどのケトン類またはアルデヒド類；アジピン酸ジエチル、安息香酸ブチル、酢酸エチル、酢酸プロピル、炭酸プロピレン、セバシン酸ジブチル、フタル酸ジメチル、フタル酸ジエチル、フタル酸ジブチル、ラウリン酸ヘキシル、γ―ブチロラクトンなどのエステル類；エチレングリコール、エチレングリコールジアセテート、、ジエチレングリコールジエチルエーテル、ジプロピレングリコール、トリエチレングリコール、トリプロピレングリコール、１，４−ブタンジオール、ポリプロピレングリコールなどの多価アルコールもしくはその誘導体；Ｎ，Ｎ−ジメチルホルムアミドなどの含窒素化合物；ジメチルスルホキシドなどの含硫黄化合物などが使用可能である。これらは１種または２種以上を混合して使用してもよく、さらに前記した水、一般式（1）で示される化合物および低級アルコールの少なくとも１種と混合して使用してもよい。これらの溶剤を使用するに際しては、霧化させるのに適した振動数を選定すればよい。
【００２４】
水、一般式（1）で示される化合物および低級アルコールの少なくとも１種を使用する場合には、ジノテフランの結晶を溶解させる共力剤（溶剤）として、例えば前記したベンジルアルコール、炭酸プロピレン、エチレングリコール、プロピレングリコール、アジピン酸ジイソプロピル、ミリスチン酸イソプロピルなどが使用可能である。
【００２５】
また、水と有機溶剤とを混合する場合、全溶剤中の水の割合は５０重量％以上であるのが好ましい。溶剤として有機溶剤または水と有機溶剤の混合液を使用した殺虫液を超音波霧化装置により蒸散させる場合、殺虫液は粘度が１０ｃＰ以下、表面張力が１００〜５００μＮ／ｃｍ（１０〜５０ｄｙｎ/ｃｍ）に調整するのが好ましく、水を単独で使用する場合、殺虫液は粘度５ｃＰ以下、表面張力１００〜１０００μＮ／ｃｍに調整するのが好ましいが、蒸散可能な限りこれらの範囲に限定されるものではない。
さらに、本発明では、上記ジノテフランと共に、効力増強剤としてチアメトキサム、アセタミプリドおよびプロポクスルの少なくとも１種を配合すると、殺虫効力、とりわけゴキブリに対する殺虫効力を大きく向上させることができる。上記効力増強剤の配合割合は特に限定されるものではないが、殺虫液総量に対して０．０５〜１０重量％、好ましくは０．１〜５重量％であるのがよい。
【００２６】
また、本発明では、殺虫剤の原体またはこれに添加物を添加した添加原体を超音波霧化装置により蒸散させてもよい。ここで、殺虫剤の原体とは、溶剤を含まない殺虫剤成分自体をいい、２種以上の殺虫剤成分を混合したものであってもよい。前記添加原体とは、前記殺虫原体に安定剤、酸化防止剤、紫外線防止剤、色素、防黴剤、凍結防止剤、ｐＨ調整剤などから選ばれる1種または２種以上の添加物を添加したものをいう。これら1種または２種以上の添加物は、前記殺虫液にも添加しておくのが望ましい。とくに、水溶性殺虫剤には防黴剤、凍結防止剤、ｐＨ調整剤を配合するのが好ましい。
【００２７】
使用する殺虫剤の原体としては、前記した水溶性殺虫剤のほか、N―［クロロー３−ピリジルメチル］−N−エチルーN−メチルー２−ニトロビニリデンジアミン、３−［（２−クロロー５−チアゾリル）メチル］−５−メチルーニトロイミノテトラヒドロー１，３，５−オキサジアジン」、ｄ，ｄ−Ｔ−シフェノトリンなどが例示される。さらに他の殺虫剤として、原体が固体、結晶、液状、液体を問わず、実施可能な限りピレスロイド系化合物の除虫菊エキス、ピレトリン、ｄ−アレスリン、フタルスリン、フラメトリン、プラレトリン、テラレスリン、レスメトリン、ペルメトリン、フェノトリン、サイペルメトリン、サイフェノトリン、トランスフルスリン、フェンフルスリン、エンペントリン、およびこれらの異性体、類縁体、誘導体、有機リン系化合物のピリミホスメチル、フェニトロチオン、メトフルトリン、ピリダフェンチオン、カーバメート系化合物のプロポクスル、カルバリル、オキサジアゾール系化合物のメトキサジアゾン、S−１２９５、イミプロトリン、フィプロニールなどの殺虫・殺ダニ剤や、メトプレン、S−ハイドロプレン、ピリプロキシフェン、２−［１−メチルー２−（フェノキシフェノキシ）エトキシ］ピリジンなどの昆虫幼若ホルモン、ジフルベンズロン、テフルベンズロンなどのキチン形成阻害剤、アミド系化合物のデイートなどの害虫忌避剤が例示される。
【００２８】
蒸散させた殺虫液の粒子径は、その中央粒子径が３〜８μｍであるのがよい。一般的には粒子は拡散性の点で小さいほど望ましいと言えるが、本発明では３〜８μｍの比較的大きな粒子径であっても高い拡散性が得られる。これにより、エネルギーコストを低減することができる。なお、中央粒子径が８μｍを超えると大気中での拡散性が低下するおそれがある。粒子径は超音波霧化装置の振動数を変化させることによって任意に調節することができる。ここで、中央粒子径（別名：平均粒子径、ザウター平均径または体面積平均径）は、下式から得られる。
【数１】
2004147643.tif 000004
超音波霧化装置の振動周波数は、１Ｈｚ以上であれば実施可能な限り制限されず、出力は１〜８０Ｗ、好ましくは１〜６０Ｗ程度に調節される。
【００２９】
＜超音波霧化装置＞
上記蒸散方法に使用するための装置としては、例えば図１に示すような超音波霧化装置を用いることができる。同図に示すように、この超音波霧化装置は、殺虫液２を収容した容器１と、この容器１の上部開口から上部が突出し下部が容器１内の殺虫液２に浸漬された吸液芯３と、この吸液芯３の上端部に接触した超音波振動子５と、この振動子５に連結された超音波発振機７とを備えている。吸液芯３の上端部と振動子５との間には金属、セラミックなどからなる接合片６が配置され、これにより振動子５は吸液芯３に間接的に（接合片６を介して）接触している。８は電源としての電池である。なお、発振機７を支持する手段を別途設けてもよい。また、吸液芯３は、容器１の上部開口にはめ込まれた中空円盤型の芯支持体４により支持されている。
前記超音波霧化装置は、任意波形発生器で波形を調整できるようにしてもよい。これにより、周波数を任意に変えて原体、添加原体、溶剤（水など）を含む殺虫液などの種類に応じた蒸散を行うようにしてもよい。前記波形発生器は、通常０．１Ｈｚ〜３００ＭＨｚまで周波数を任意に変えられるものが市販されている。なお、任意波形発生器に代えて、周波数変換器を用いてもよい。
【００３０】
吸液芯３としては、表面張力の大きな材質、例えばフェルト、スポンジ、綿、多孔質材（例えば、炭素質微粉末を主体とし、これと結着剤との混合物からなる成形体）などで棒状に形成された芯材を使用することができる。これらのうち、炭素質微粉末を用いた前記成形体は、超音波印加時にのみ吸液機能を発揮し、無印加時は密栓的に機能する。
【００３１】
殺虫液２を上記のような吸液芯３の上端部にまで十分に吸収させた状態で、発振機７より振動子５へ信号を送り、振動子５および接合片６を超音波振動させる。これにより、吸液芯３の上端部に対し、殺虫液２の表面張力以上で且つ粘度以上の超音波振動エネルギーを与え、殺虫液２を吸液芯３から微小な液滴として空気中に霧化して蒸散させることができる。なお、上記超音波霧化装置では、接合片６を配置せずに、振動子５が吸液芯３の上端部に直接接触するようにしてもよい。
【００３２】
また、上記蒸散方法では、例えば図２に示すような超音波霧化装置を用いることもできる。この超音波霧化装置は、殺虫液１０を収容した容器１１と、この容器１１の上部開口から上部が突出し下部が容器１１内の殺虫液１０に浸漬された吸液芯１２と、この吸液芯１２の上端部に直接接触することなく近接したホーン構造を有する超音波振動子１４と、この振動子１４に連結された超音波発振機１５とを備えている。また、吸液芯１２は、容器１１の上部開口にはめ込まれた中空円盤型の芯支持体１３により支持されている。
【００３３】
吸液芯１２としては、前記した吸液芯３と同様のものが使用可能である。殺虫液１０を吸液芯１２の上端部にまで十分に吸収させた状態で、発振機１５により振動子１４へ信号を送り、ホーン構造を有する振動子１４を超音波振動させる。これにより、吸液芯１２の上端部に対して殺虫液１０の表面張力以上で且つ粘度以上の超音波振動エネルギーを与え、殺虫液１０を吸液芯１２から微小な液滴として空気中に霧化して蒸散させることができる。
【００３４】
さらに本発明では、通常市販の超音波加湿器（例えばエコ・ドリーム社製の商品名「ドリーム２１」、トヨトミ社製の商品名「ＴＵＨ−５」など）も超音波霧化装置として使用可能である。このような超音波加湿器を利用した超音波霧化装置の一例を図３に示す。この超音波霧化装置は、器体７０内に殺虫液を入れた給液タンク７１が着脱自在に設置され、この給液タンク７１の底部から殺虫液７２が蒸散部７３に導かれる。
【００３５】
蒸散部７３は有底筒形で構成され、底部が給液タンク７１の底部から流出した殺虫液７２を溜める液溜り部７４となっている。液溜り部７４の上方には内筒７５が設置され、内筒７５と蒸散部７３の外壁内面との間隙は遮蔽板７６によって塞がれている。また、内筒７５の上部には、液滴の飛散防止用のスリット７７が取付けられている。蒸散部７３の底部には液溜り部７４を超えて立ち上がったエアー吹き出し筒７８が設けられる。そして、内筒７５の下方にある蒸散部７３の底部外面には超音波発信機の素子（振動子）７９が取り付けられている。
【００３６】
エアー吹き出し筒７８に連通する超音波霧化装置の底部には、シロッコファン８０が設置されており、器体７０に設けた吸気口８１からエアーを取り込み、前記吹き出し筒７８に向かってエアーを供給する。前記吹き出し筒７８から蒸散部７３内に吹き出したエアーは、矢印で示すように、液溜り部７２と内筒７５との隙間を通って内筒７５内に送られ、内筒７５から器体７０外へ排出される。このとき、素子７９の振動により発生した超音波にて霧化した殺虫液７２の微粒子がエアーによって器体７０外へ運ばれ広範囲に拡散される。
【００３７】
ちなみに、前記器体７０は、縦２７０ｍｍ、横２００ｍｍ、床からの高さ３００ｍｍであり、前記液溜り部７２の深さは３０ｍｍ、液溜り部７２表面から器体７０上部の排出口８１までの高さは２２０ｍｍである。また、前記シロッコファン８０は、通常、径５０ｍｍ×２８ｍｍで２０枚翼を有し、ファン回転数１８８２〜２６７３ｒｐｍ程度、風量１．２〜１．４Ｌ／秒程度である。
【００３８】
なお、超音波によって霧化した微粒子を室内に拡散させるための送風手段としては、例えば、前記したシロッコファンの他、プロペラファン、ピエゾファンなども使用可能である。また、ファンの風量は０．１〜４０Ｌ／秒の範囲内であればよい。
【００３９】
本発明方法が適用可能な超音波霧化装置のさらに他の例を図４に示す。この超音波霧化装置は、図４に示すように、器体８３内に振動伝達用液体９４（例えば水）を充填した槽８４を有し、この槽８４の底部に超音波発信機の素子（振動子）８５が取り付けられている。そして、その上方には殺虫液８６を入れた殺虫液容器８７が位置している。この殺虫液容器８７は、槽８３の上部を塞ぐ蓋体８８に設けた開口に落とし込んで、上部のフランジ部８７ａを開口周縁に係止させている。前記素子８５の振動によって発生した超音波は振動伝達用液体９４を経て上方の殺虫液容器８７に到達し、容器内の殺虫液８６を揮散させる。
【００４０】
殺虫液容器８７の上部には、揮散量を調整するためのフード８９が装着される。フード８９には揮散した殺虫液の粒子が通過する孔９０が形成されている。フード８９はカバー９１で覆われている。カバー９１の側部にはシロッコファン９２が取付けられると共に、上部には揮散用の筒体９３が取付けられている。筒体９３は下端がフード８９の近くに位置する。
【００４１】
シロッコファン９２からカバー９１内に吹き出されたエアーは、矢印で示すように、筒体９３を経て外部に放出される。このとき、素子８５の振動により発生した超音波にて霧化した殺虫液８６の微粒子９５がエアーによって筒体９３を経て外部に運ばれ、ベンチュリー機能（作用）も手伝って広範囲に拡散される。
【００４２】
このように、前記容器８７と素子８５（超音波振動子）との間に振動伝達用の液体９４を介在させ、この液体９４を介して容器８７内の殺虫液８６に振動を与えて、殺虫液８６中の有効成分を揮散させるようにしている。このため、素子８５が長時間駆動しても、素子８５は振動伝達用液体９４によって常に冷却されているので、過熱により破損するのを防止することができる。
【００４３】
なお、図４では、素子８５および殺虫液容器８７は傾斜姿勢で取付けられているが、垂直姿勢であってもよい。また、シロッコファン９２に代えて、各種ファンが使用可能であることは前記と同じである。
【００４４】
また、図４に示した超音波霧化装置において、フード８９付きの殺虫液容器８７に代えて、図５に示すような殺虫液容器８７’を使用してもよい。この殺虫液容器８７’は内部天面が前記フード８９を兼ねているので、わざわざフード８９を設ける必要がない。かかる殺虫液容器８７’は素子８５’の上方で蓋体８８に取付けられており、蓋体８８より上部の周壁には揮散した殺虫液の粒子が通過する孔９０’が形成されている。その他は図４に示した各構成部材と同一である。なお、殺虫液容器８７’は垂直姿勢であるが、傾斜姿勢にしてもよいことは言うまでもない。
【００４５】
＜噴霧方法＞
本発明にかかる噴霧方法は、殺虫剤（例えば水溶性殺虫剤など）を前記と同様な溶剤に溶解させた殺虫液をエアゾール噴霧装置により噴霧させるものである。
殺虫剤としては、前記蒸散方法において記載したものと同様のものが使用可能である。得られた殺虫液は噴射剤と共に、後述するエアゾール噴霧装置に充填される。噴射剤としては、例えば液化石油ガス、プロパン、プロピレン、ｎ−ブタン、イソブタン、ブタジエン、ｎ−ブチレン、イソブチレン、ｎ−ペンタン、イソペンタン、ｎ−ヘキサン、イソヘキサン、ジメチルエーテル、エチルエーテル、炭酸ガス、窒素ガス、圧縮ガス、フロン代替ガスなどが挙げられる。
【００４６】
殺虫液および噴射剤は、通常、加圧してエアゾール噴霧装置に充填される。充填された殺虫液と噴射剤とを含有する噴霧用殺虫液組成物中には、例えば噴射剤が５０容量％以上、好ましくは７０容量％以上、より好ましくは８０〜９７容量％、さらに好ましくは８５〜９５容量％含有するのがよい。また、原体および添加原体を噴射剤に配合してもよい。また、噴霧された殺虫液の粒子径は、前記と同様に、その中央粒子径が３〜８μｍであるのがよい。
なお、殺虫液に代えて、前記したと同様な殺虫剤の原体またはこれに添加物を添加した添加原体を用いて、これを噴射剤と共にエアゾール噴霧装置に充填し、該エアゾール噴霧装置により微量噴霧させるようにすることもできる。
【００４７】
＜エアゾール噴霧装置＞
上記噴霧方法に使用するための装置としては、例えば図６〜図９に示すエアゾール噴霧装置（全量噴射型）を用いることができる。図６は本発明の一実施形態にかかるエアゾール噴霧装置の部分断面図であり、図７はその平面図である。
【００４８】
図６に示すように、エアゾール噴霧装置３０は、殺虫液を収容したエアゾール容器２１と、この容器２１の上部開口の巻締部２２に取り付けられた噴霧手段３１とを備えている。噴霧手段３１は、エアゾール容器２１のステム２３を覆うボタン部３２とボタン部３２から略水平方向に延びる押圧部（操作部）３６とを備えている。ボタン部３２は中空の部分と中実の部分とを有しているが、中実部分の下面には、ステム２３の真上に配置されてステム２３の先端が挿着される第一挿着穴３５ａが設けられている。一方、ボタン部３２の中実部分の上面には、ノズル部材４０が挿着される第二挿着穴３５ｂが設けられている。ここでは、第二挿着穴３５ｂが、下から上に向かうにつれて押圧部３６から離れていくように傾斜している。第一挿着穴３５ａ及び第二挿着穴３５ｂはそれぞれ横断面円形状の穴であって、ボタン部３２の中実部分の内部で連通している。
【００４９】
押圧部３６を足などによって押し下げると、ボタン部３２がステム２３を押し下げる。ステム２３のステムオリフィスから噴出された殺虫液は、ノズル部材４０の内部を通過して、ノズル部材４０の先端から外部に噴霧される。
【００５０】
図７に示すように、ノズル部材４０の先端面は楕円形状になっている。その先端面には、中央ノズル４１が設けられており、更に、楕円長軸上であって中央ノズル４１の両側に周囲ノズル４２ａ，４２ｂが設けられている。中央ノズル４１及び周囲ノズル４２ａ，４２ｂは、図６に示したステム２３のステムオリフィスに連通している。
【００５１】
中央ノズル４１の開口面積は、０．２ｍｍ2以上であり、０．２〜０．４ｍｍ2とすることが好ましい。そして、中央ノズル４１の開口面積を２個の周囲ノズル４２ａ，４２ｂの開口面積の和で除した値が０．５〜１．０となるように、周囲ノズル４２ａ，４２ｂの開口面積は同一又はほぼ同一に設定される。例えば周囲ノズル４２ａ，４２ｂの開口面積の和が０．３〜０．５ｍｍ2となるようにすることができる。なお、ステム２３のステムオリフィスの開口面積は０．３ｍｍ2以上であり、０．３〜０．６ｍｍ2とすることが好ましい。
【００５２】
図６に示すように、ノズル部材４０の先端面は傾斜されており、押圧部３６側とは反対側にエアゾール内容物が噴霧されるようになっている。この噴霧手段３１は、押圧部３６を一旦足Ｆなどで押し下げると、ステム２３が押し下げられた状態又は傾倒された状態に保たれるタイプ、所謂全量噴射型のものである。
【００５３】
図８はノズル部材４０の分解側面図であり、図９はノズル部材４０の分解平面図である。このノズル部材４０は、製造容易化のために、本体４８及び挿着体４４の、２個の部材を組み合わせることで構成されている。図８に示すように、本体４８は、段付円筒部材の大径側（先端側）に楕円形板部４８ａを一体成形したような構成である。本体４８を貫通する孔４９は、本体４８の小径部分を貫通する第一部分４９ａと、第一部分４９ａに連通するとともに本体４８の大径部分を貫通する第二部分４９ｂと、第二部分４９ｂに連通するとともに本体４８の楕円形板部４８ａに設けられたテーパ状の第三部分４９ｃとからなる。
【００５４】
挿着体４４は、挿着体４４の先端面が本体４８の先端面と面一となるように、本体４８の先端面側から本体４８の孔４９内に挿着される。挿着体４４は、本体４８の孔４９の第二部分４９ｂ及び第三部分４９ｃに対応した外周面を有している。その外周面は、後述する溝４７ａ，４７ｂを除いて、本体４８の孔４９の第二部分４９ｂ及び第三部分４９ｃの内周面に密着する。挿着体４４には、挿着体４４を貫通する中央ノズル４１が設けられている。
【００５５】
図９に示すように、本体４８には溝（ここでは角溝）４７ａ，４７ｂが設けられている。溝４７ａ，４７ｂは、本体４８の先端面から孔４９の第三部分４９ｃの内周面及び第二部分４９ｂの内周面へと上下方向へ連続して延びている。本体４８に挿着体４４を挿着すると、本体４８の溝４７ａ，４７ｂと挿着体４４の外周面とによって、図７に示すような周囲ノズル４２ａ，４２ｂが区画される。
【００５６】
以上のような構成の噴霧手段３１を取り付けたエアゾール装置３０によれば、極めて広範囲にエアゾール内容物を噴霧することができる。また、このエアゾール装置３０によれば、室内等に噴霧されたエアゾール内容物がその室の床の広範囲に十分量落下する。したがって、ゴキブリやノミ等の床に生息する害虫、カビの駆除に好適に用いることができる。
【００５７】
本発明の噴霧方法では、例えば図１０に示すようなエアゾール噴霧装置を用いることもできる。このエアゾール噴霧装置は、殺虫液５３を収容したエアゾール容器５１と、このエアゾール容器５１の上部開口に取り付けられ、殺虫液５３を霧化するためのエアゾールバルブ（噴霧手段）５２とを備えている。
【００５８】
エアゾールバルブ５２は、殺虫液５３が収容されているエアゾール容器５１の上口とガスケットラバー５４で連結・封止されている。そして、エアゾールバルブ５２のディップチューブ５５が殺虫液５３の中に浸漬している。エアゾールバルブ５２のボタン５６を押すと、ステム５７がハウジング５８の中に押し込まれると共にスプリング５９が収縮する。この時ステム５７の凸部はステムラバー６０を押し下げ、ステム孔６１が空隙６２の中に開口する。これにより、殺虫液５３はディップチューブ５５を通り、ステム５７の内部の管を通過し、噴口６３から大気中に噴射される。
【００５９】
さらに、エアゾールバルブ５２は、押しボタン５６の噴射口径が０．３〜１．０ｍｍ、ステム５７の内径が０．３〜０．６ｍｍ、アンダータップの内径が０．３〜２．２ｍｍ、ディップチューブ５５の内径が０．５〜４ｍｍであるのが好ましい。必要に応じてベーパタップを０．２〜０．６ｍｍとする。さらに、構造的には、浮遊粒子を液中に含むため、噴射量を増やすためのステムの孔が２個以上であったり、ケイ酸化合物の蓄積によるステムラバーの復元阻害を防止する突起を設けたり、ケイ酸化合物が凝集した場合に備えて、金属の球を耐圧性容器内に入れるなど各種の工夫を凝らしたものが好ましい。
【００６０】
なお、本発明方法では、殺虫液中に前記した殺虫剤の他、例えば香料、潤滑剤、殺菌剤、色素、保湿剤、安定剤、揮散調整剤、防腐剤、酸化防止剤などの添加剤を含有させることもできる。
【００６１】
また、本発明方法は、例えばゴキブリ、ハエ、蚊、ヌカカ、アブ、ノミ、ナンキン虫などの衛生害虫ないし吸血害虫、イガ、コイガなどの衣類害虫、コクヌストモドキ、コクゾウムシなどの貯穀害虫、イエダニ、ツメダニ、コナダニなどのダニ類、クモ類、アリ、シロアリ、ナメクジ、ワラジムシ、ダンゴムシ、カメムシ、ムカデ、ゲジゲジ、蜂、ブユなどの殺虫、防虫、忌避、吸血阻害、成長調整、脱皮阻害などの用途に適用可能である。したがって、本発明方法は、様々な場所で使用可能であり、例えば家庭内の居室、台所、食堂；畜舎、犬小屋、農園芸ハウス；押入れ、タンスなどの衣類等収納庫、植物収納庫などで好適に使用することができる。
【００６２】
以下、実施例および比較例を挙げて本発明について詳細に説明するが、本発明は以下の実施例のみに限定されるものではない。
【実施例１】
【００６３】
殺虫液を前記した超音波霧化装置により蒸散させ、下記供試虫に対する本発明方法の殺虫効果を確認した。
【００６４】
＜殺虫液の調製＞
殺虫剤（前出のジノテフラン（三井化学（株）製「スタークル（商品名）」））を、その濃度が０．５重量％となるように水に溶解して殺虫液を調製した。
【００６５】
＜試験方法＞
８畳のチャンバーの換気率を１回／時に設定し、このチャンバーの対角２隅に、一辺が３００ｍｍの立方体からなるスリットボックスを配置した。側面の相対する２ヶ所にスリット（スリットサイズ：１０ｍｍ×１００ｍｍ）を設けた上記スリットボックスの内部と上部には、各々３種類の下記供試虫各１０匹を配置した。また、別の対角２隅に、上記と同寸法のスリットを１ヶ所に設けたスリットボックスを配置し、スリットボックスの内部と上部に上記と同様の供試虫を配置した。ついで、チャンバーの中央に前記殺虫液を収容した図３に示すような超音波霧化装置を配置し、下記試験条件で殺虫液を霧化して蒸散させ、供試虫を曝露した。
【００６６】
＜供試虫＞
供試虫Ａ：クロゴキブリ（雌）
供試虫Ｂ：感受性チャバネゴキブリ（雌）
供試虫Ｃ：抵抗性チャバネゴキブリ（雌、ペルメトリン抵抗性比２０倍）
【００６７】
＜試験条件＞
蒸散時間：０．８時間
供試虫の曝露時間：２時間
殺虫液の充填量：５００ｇ
換気率：１回／時
超音波霧化装置の振動数：１．７ＭＨｚ
ファン：シロッコファン（径５０×２８ｍｍ、２０枚羽）
ファン回転数：２６７３ｒｐｍ
風量：１．４Ｌ/秒
【００６８】
曝露中、供試虫のノックダウン（仰転）状況を観察し、この結果からＫＴ50を算出した。その後、水を含む脱脂綿を入れた清浄なカップに供試虫を移し、２４時間後の致死状況を観察し、致死率を算出した。これらの結果を表１に示す。なお、上記蒸散時間内に蒸散した殺虫液の蒸散量は２３．６ｇであり（殺虫剤の揮散量は１．１８ｇ（蒸散量から推定））、蒸散された殺虫液の中央粒子径は約７．５μｍであった。また、「ＫＴ50」とは、供試虫の半数がノックダウンするまでの時間をいう。
【実施例２】
【００６９】
実施例１と同様にして、供試虫に対する本発明方法の殺虫効果を確認した。結果を表１に示す。なお、蒸散時間内に蒸散した殺虫液の蒸散量は３０ｇであり（殺虫剤の揮散量は１．２ｇ）、蒸散された殺虫液の中央粒子径は約６．３μｍであった。
【表１】
2004147643.tif 000005
【００７０】
表１に示すように、超音波霧化装置により水溶性殺虫剤を揮散させた実施例１および実施例２では優れた殺虫効果が得られた。すなわち、実施例１および実施例２では、ＫＴ50が小さく致死率が高いことから、速効性および殺虫力を兼ね備えていることがわかる。
【実施例３】
【００７１】
下記表２に示す配合割合でジノテフラン（前出）と溶剤とを配合し殺虫液（試料Ｎｏ．１〜７）を調製した。
得られた殺虫液に噴射剤ジメチルエーテルを加え、全量噴射型エアゾール装置（アース製薬（株）製のアースレッドノンスモーク）に充填した。噴射剤の充填量は全量の７０容量％とした。
一方、１２畳の広さを有する試験室の四隅にゴキブリ１０頭を入れたカップを設置し、中央床面にてエアゾールから全量噴射させた後、１時間暴露し、被検ゴキブリを清潔なカップに移し、２４時間後の致死率を調べた。その結果を表２に併せて示す。
【表２】
2004147643.tif 000006
表２から、前記殺虫液をエアゾ−ル噴霧用として使用した場合にも高い殺虫効果が得られていることがわかる。特に溶剤に水が５０重量％以上含有されていると、より高い効果が得られる。
【００７２】
［試験例１］
（超音波霧化機とＤＤＶＰ蒸散機との効力比較）
＜試料の調製＞
（1）超音波霧化機
殺虫剤（前出のジノテフラン）０．８ｇを水に溶解して得た殺虫液２２．５ｍＬを、図３に示す超音波霧化装置に収容した。
（2）ＤＤＶＰ蒸散機
ＤＤＶＰ（化学名：ジメチル−２，２−ジクロルビニルホスフェイト）の２．２ｇを塩化ビニル樹脂プレート４枚に担持させ、ＤＤＶＰ蒸散機（富士テック社製の商品名「ウィズ４」）に収容した。
【００７３】
＜試験方法＞
８畳のチャンバーの換気率を１回／時に設定し、このチャンバーの対角２隅に、一辺が３００ｍｍの立方体からなるスリットボックスを配置した。側面の相対する２ヶ所にスリット（スリットサイズ：１０ｍｍ×１００ｍｍ）を設けた上記スリットボックスの内部と上部には、各々２種類の下記供試虫各１０匹を配置した。また、別の対角２隅に、上記と同寸法のスリットを１ヶ所に設けたスリットボックスを配置し、スリットボックスの内部と上部に上記と同様の供試虫を配置した。ついで、チャンバーの中央に前記試料を配置し、下記試験条件で殺虫液を霧化して蒸散させ、供試虫を曝露し、実施例１と同様にしてＫＴ50および致死率を調べた。
【００７４】
＜供試虫＞
（1）抵抗性チャバネゴキブリ（雌成虫、抵抗性比17倍）
（2）クロゴキブリ（雌成虫）
【００７５】
＜試験結果＞
上記の試験結果を表３に示す。なお、超音波霧化機の上記および表３に示す以外の運転条件は実施例１と同様である。
【表３】
2004147643.tif 000007
表３から、超音波霧化機を使用すると、ゴキブリのノックダウンが速いことがわかる。また、超音波霧化機での致死率はＤＤＶＰ蒸散機のそれとほぼ同等であるが、運転時間および暴露時間がＤＤＶＰ蒸散機よりも非常に少ないので、効率よく迅速に殺虫効果を発揮していることがわかる。
【００７６】
［試験例２］
（超音波霧化機と全量噴射エアゾールとの効力比較）
＜試料の調製＞
（1）図３に示す超音波霧化機を使用し、これに表４に示す処方で調製した殺虫液２２．５ｇを収容した。
（2）全量噴射エアゾールとして、アース製薬株式会社製のアースレッドノンスモークを使用し、これに表４に示す処方で調製したエアゾール噴射用殺虫液を収容した。
【表４】
2004147643.tif 000008
【００７７】
＜試験方法＞
供試虫として、試験例１と同じ抵抗性チャバネゴキブリおよびクロゴキブリをそれぞれ使用し、表４に示す曝露時間にて曝露した後、有効成分であるジノテフランの付着量と致死率との関係を調べた。チャバネゴキブリについての結果を図１１に、クロゴキブリについての結果を図１２にそれぞれ示す。ジノテフランの付着量は、床面にステンレスシャーレを設置し、噴霧した後にシャーレを回収して洗浄し、液体クロマトグラフィー（ＬＣ）で洗浄液を定量分析することにより測定した。致死率は実施例１と同様にして求めた。
図１１および図１２から、超音波霧化機および全量噴射エアゾールはいずれも高い効力を有していることがわかる。
【００７８】
［試験例３］
（殺虫剤成分の検討）
＜試料の調製＞
前出のジノテフランとｄ，ｄ−Ｔ−シフェノトリンとを表５に示す他の成分と同表に示す割合で混合し、これを全量噴射エアーゾル容器に充填し、各試料を得た。
【表５】
2004147643.tif 000009
【００７９】
＜試験方法＞
８畳のチャンバーの換気率を１回／時に設定し、このチャンバーの対角２隅の床面に、一辺が３００ｍｍの立方体からなるスリットボックスを配置した。スリットボックスは、側面の相対する２ヶ所にスリット（スリットサイズ：１０ｍｍ×１００ｍｍ）を設けたものを用意した。
スリットボックスの内部と上部には、各々試験例1と同じ２種類の供試虫各１０匹を配置した。また、別の対角２隅の床面に三角柱体のフラッシングアウト用シェルタ−（チャバネゴキブリ用：三角形底辺３０ｍｍ×三角形高さ３０ｍｍ×柱高さ１５０ｍｍ；クロゴキブリ用：三角形底辺５０ｍｍ×三角形高さ５０ｍｍ×柱高さ１５０ｍｍ）を配置した。しかるのち、チャンバーの床面中央に前記試料を置き、１時間暴露させた。
【００８０】
＜試験結果＞
フラッシングアウト効果を示す試験結果を図１３および図１４に示す。図１３はチャバネゴキブリについてのフラッシングアウト（Ｆ．Ｏ）率および致死率を、図１４はクロゴキブリについてのフラッシングアウト（Ｆ．Ｏ）率および致死率をそれぞれ示している。ここで、フラッシングアウト効果とは、ゴキブリの隙間からの飛び出しやすさをいい、フラッシングアウト試験におけるＦＴ値（フラッシングアウトの時間）から求められる。また、致死率は実施例１と同様にして求めた。
【００８１】
また、準閉鎖条件での致死効果を示す試験結果を図１５および図１６に示す。図１５はチャバネゴキブリについての致死率を、図１６はクロゴキブリについての致死率をそれぞれ示している。ここで、準閉鎖条件とは、スリットボックスを用いる試験をいう。
【００８２】
これらの試験結果から、ジノテフランとｄ，ｄ−Ｔ−シフェノトリンとを併用することにより、フラッシングアウト効果による致死効果が増強されることがわかる。
【００８３】
［試験例４］
（殺虫剤の効力評価１）
＜試料の調製＞
下記に示す所定量の殺虫剤成分および効力増強剤を、エタノール１５容量％、残部が脱イオン水の溶剤に加えて、全量を３０ｍＬに調整し試料を得た。この試料を図４に示す超音波霧化装置に収容した。
【表６】
2004147643.tif 000010
【００８４】
＜試験方法＞
８畳のチャンバーの換気率を１回／時に設定し、このチャンバーの対角２隅の床面に、下記に示す供試虫各４０匹を入れたプラスチックカップを、蓋をしないオープン条件でそれぞれ設置した。しかる後、チャンバーの床面中央に前記試料を置き、薬剤を10分間で全量揮散させ（周波数：１.７ＭＨｚ、風量：4Ｌ/秒、霧化速度：３ｍＬ/分）、ついで１０分ごとに供試虫のノックダウンを観察した。そして、２時間曝露後、水を含んだ脱脂綿と餌を入れた清浄なプラスチックカップに供試虫を移し、２４時間後の致死量を観察した。
【００８５】
＜供試虫＞
（1）クロゴキブリ（雌成虫）
（2）チャバネゴキブリ（雌成虫、ペルメトリン抵抗性比17倍）
【００８６】
＜試験結果＞
上記の試験結果を表７に示す。表７において、ＫＴ50は上記と同じであり、ＫＴ90とは供試虫の９０％がノックダウンするまでの時間をいう。
【表７】
2004147643.tif 000011
表７から、ジノテフランは単独でもゴキブリに対して高い殺虫効力を有するが、少量のチアメトキサム、アセタミプリドまたはプロポクスルを添加すると、殺虫効力がより一層向上することがわかる。
【００８７】
［試験例５］
（殺虫剤の効力評価２）
殺虫剤原体としてニテンピラムを０．９ｇ添加した他は、前記試験例４と同様にして試料を調製し、チャバネゴキブリに対する効力を試験した。その結果を表８に示す。
【表８】
2004147643.tif 000012
表８から、フラニル系殺虫剤であるニテンピラムもゴキブリに対して高い殺虫効力を有していることがわかる。
【図面の簡単な説明】
【００８８】
【図１】本発明の第１の実施形態にかかる超音波霧化装置を示す断面図である。
【図２】本発明の第２の実施形態にかかる超音波霧化装置を示す断面図である。
【図３】（a）および（ｂ）は本発明の第３の実施形態にかかる超音波霧化装置を示す断面図および平面図である。
【図４】本発明の第４の実施形態にかかる超音波霧化装置を示す断面図である。
【図５】図４に示す超音波霧化装置の変型例を示す一部断面図である。
【図６】本発明の一実施形態にかかるエアゾール噴霧装置の部分断面図である。
【図７】図６に示すエアゾール噴霧装置の平面図である。
【図８】ノズル部材の分解側面図である。
【図９】図８に示すノズル部材の分解平面図である。
【図１０】本発明の他の実施形態にかかるエアゾール噴霧装置の断面図である。
【図１１】ジノテフラン（水溶性殺虫剤）の付着量とチャバネゴキブリの致死率との関係を示すグラフである。
【図１２】ジノテフラン（水溶性殺虫剤）の付着量とクロゴキブリの致死率との関係を示すグラフである。
【図１３】ジノテフラン（水溶性殺虫剤）とｄ，ｄ−Ｔ−シフェノトリンとの配合割合に対するチャバネゴキブリについてのフラッシングアウト率および致死率を示すグラフである。
【図１４】ジノテフラン（水溶性殺虫剤）とｄ，ｄ−Ｔ−シフェノトリンとの配合割合に対するクロゴキブリについてのフラッシングアウト率および致死率を示すグラフである。
【図１５】準閉鎖条件でのジノテフラン（水溶性殺虫剤）とｄ，ｄ−Ｔ−シフェノトリンとの配合割合に対するチャバネゴキブリの致死率を示すグラフである。
【図１６】準閉鎖条件でのジノテフラン（水溶性殺虫剤）とｄ，ｄ−Ｔ−シフェノトリンとの配合割合に対するクロゴキブリの致死率を示すグラフである。
【符号の説明】
【００８９】
１  容器
２  殺虫液
３  吸液芯
４  芯支持体
５  超音波振動子
６  接合片
７  超音波発振機
８  電池
９  支持台
【図１】
2004147643.tif 000014
【図２】
2004147643.tif 000015
【図３】
2004147643.tif 000016
【図４】
2004147643.tif 000017
【図５】
2004147643.tif 000018
【図６】
2004147643.tif 000019
【図７】
2004147643.tif 000020
【図８】
2004147643.tif 000021
【図９】
2004147643.tif 000022
【図１０】
2004147643.tif 000023
【図１１】
2004147643.tif 000024
【図１２】
2004147643.tif 000025
【図１３】
2004147643.tif 000026
【図１４】
2004147643.tif 000027
【図１５】
2004147643.tif 000028
【図１６】
2004147643.tif 000029